(57)【特許請求の範囲】
【請求項１】
内周面に軸方向に沿う螺旋状のブレードを設けたドラムがシャシー上に回転自在に搭載され、ドラムの後方開口部から投入された塵芥をドラムの正転時にブレードを介してドラム内前方に送り込み、ドラムの逆転時にドラム内の塵芥をブレードを介してドラム後方に送り出して開口部から外部に排出する塵芥収集車において、ドラムの後方開口部に対向してカバーを設け、このカバーに、車両後方から見て中央下部に位置する塵芥投入用の塵芥投入口と、同じく、車両後方から見て左側上部から左側略中央部にかけて塵芥排出用の縦長の開口窓とを設け、更に上記カバーの後方外面に上記開口窓に対向するフローガイドを設け、上記フローガイドを上記開口窓に対向する開口部を設けた枠体と、この枠体の下部に斜め下方に向けて設けたシュートと、上記枠体と上記シュートとを覆うハウジングと、上記ハウジングの上部に設けたのぞき窓用の蓋とで構成させ、上記ハウジングの下部出口端に塵芥排出用のシュートを兼ねた蓋を回転自在にヒンジ結合させたことを特徴とする塵芥収集車。
【発明の詳細な説明】
【０００１】
【発明の属する技術分野】
本発明は、一般の産業廃棄物又は街路樹の剪定で出された枝葉を破砕してドラム内に収容し、所定の場所で排出させる塵芥収集車に関する。
【０００２】
【従来の技術】
一般に、産業廃棄物や街路樹の枝葉をチップ状にした塵芥等を回収する塵芥収集車は、シャシー上に回転ドラムを回転自在に搭載し、このドラムの内周面に軸方向に沿う螺旋状のブレードを設け、ドラムの正転時にドラムの後方開口部から投入した塵芥をブレードを介してドラムの前方に送り込んで多数収容させる。
【０００３】
次いで、この塵芥を所定の廃棄物所まで搬送した後、この場所でドラムを逆転させることによりドラム内の塵芥をブレードを介して送り出し、ドラムの後方開口部から排出させるものである。
【０００４】
この場合、塵芥を破砕する破砕機付きのカバーをドラムの後部に設けたものとしては、例えば、特開平８−２２５１０１号公報に開示されたような塵芥収集車が開発されている。
【０００５】
この塵芥収集車は、回転ドラムをシャシー上に起伏自在に結合し、又、このドラムには後方開口部に対向する破砕機付きのカバーを開閉自在に設けたものである。
【０００６】
この塵芥収集車は、破砕機で破砕した塵芥をブレードを介してドラム内に収容し、排出時にはカバーを開くとともにドラムをダンプしながらドラムの後方開口部から所定の場所に塵芥を排出するものである。
【０００７】
【発明が解決しようとする課題】
しかしながら、上記のようにドラムの後方開口部から直接塵芥を地上に排出したり、あるいは破砕機付きのカバーを開いて塵芥を排出させる場合は、塵芥がドラムのすぐ後方近くに排出され、車両から遠く離れた位置に排出できない。
【０００８】
この為、例えば、塵芥の廃棄場所が穴やくぼみであるような場合にはこの穴やくぼみの縁近くまで車両をバックさせる必要があり、危険である。
【０００９】
そこで、本発明の目的は、車両からできるだけ離れた後方の位置に塵芥を排出できるようにした塵芥収集車を提供することである。
【００１０】
【課題を解決するための手段】
上記の目的を達成するため、本発明の手段は、内周面に軸方向に沿う螺旋状のブレードを設けたドラムがシャシー上に回転自在に搭載され、ドラムの後方開口部から投入された塵芥をドラムの正転時にブレードを介してドラム内前方に送り込み、ドラムの逆転時にドラム内の塵芥をブレードを介してドラム後方に送り出して開口部から外部に排出する塵芥収集車において、ドラムの後方開口部に対向してカバーを設け、このカバーに、車両後方から見て中央下部に位置する塵芥投入用の塵芥投入口と、同じく、車両後方から見て左側上部から左側略中央部にかけて塵芥排出用の縦長の開口窓とを設け、更に上記カバーの後方外面に上記開口窓に対向するフローガイドを設け、上記フローガイドを上記開口窓に対向する開口部を設けた枠体と、この枠体の下部に斜め下方に向けて設けたシュートと、上記枠体と上記シュートとを覆うハウジングと、上記ハウジングの上部に設けたのぞき窓用の蓋とで構成させ、上記ハウジングの下部出口端に塵芥排出用のシュートを兼ねた蓋を回転自在にヒンジ結合させたことを特徴とするものである。
【００１２】
【発明の実施の形態】
以下に、本発明の実施の形態を図にもとづいて説明するが、本発明に係る塵芥収集車は、街路樹の剪定で出された枝葉を破砕機でチップ状に破砕し、これをドラム内にブレードを介して送って収容し、更に、所定の廃棄場所まで輸送した後に排出させるのに適しているが、同じように破砕機で一般の産業廃棄物を破砕して同様にドラム内に収容し、更に排出させる場合にも使用可能である。
【００１３】
本発明に係る塵芥収集車は、図１に示すように、車両Ａのシャシー１にローラ２を介して正転方向又は逆転方向に回転自在に搭載した貯留ドラム３を備え、ドラム３内には公知のドラムと同じように内周面に軸方向に沿う螺旋状のブレードが設けられている。
【００１４】
ドラム３の後方開口部には固定カバー４が対向して設けられている。固定カバー４には後述するように、中央下部の塵芥投入口と、左側上部から左側略中央部にかけて縦長の塵芥排出用の開口窓とを有している。塵芥投入口に破砕機を設け、この破砕機に対向して蓋とガイドを兼ねたシュート５を設けたホッパー６が設けられ、更に、塵芥排出用の開口窓に対向してフローガイド７が設けられている。
【００１５】
これにより、例えば、街路樹を剪定した枝葉をシュート５を開いてホッパー６内に押し込み、これを破砕機でチップ状に破砕した後にドラム３を正転させながら投入口よりドラム３内にブレードを介して収容される塵芥は、所定場所まで輸送された後、ドラム３を逆転し、ブレードで開口窓側に送り出され、次いで、フローガイド７を介して外部に排出されるようになっている。
【００１６】
以下に、図２乃至図４にもとづいて各機構の構造を詳細に説明すると、車両Ａのシャシー１には一対のローラ２，２が設けられ、このローラ２，２上に支持リング８を介してドラム３が正転方向，逆転方向に回転自在に搭載されている。
【００１７】
ドラム３は、公知のようにその内周面に軸方向に沿う螺旋状のブレード９，９が設けられ、このブレード９，９がドラム３の回転時に塵芥を前方又は後方に送るようにしている。
【００１８】
ドラム３の後方開口部１０の中央にはブレード１１を内周に備えたシートパイプ１２が一体に設けられている。シャーシ１にはこれに直交するブラケット１３が固定され、このブラケット１３には環状の支持枠１４がブラケット１５，１５を介して固定されている。支持枠１４は、二つに分割された断面コ字状の枠体１４ａからなり、この枠体１４ａ内にドラム３の後部に形成した突状リング１６を回転自在に嵌合させている。
【００１９】
枠体１４ａの前方外面にはゴム等からなる環状シール１７が止め具と環状の押え板１８を介して固定され、ドラム３内の粉じん等が外部に漏れないようにしている。
【００２０】
枠体１４ａの後方外面にはドラム３の開口部１０に対向する板状の固定カバー４をボルト等の止め具を介して固定し、この固定カバー４でドラム３の開口部１０を封じている。
【００２１】
固定カバー４には中央下部の塵芥投入口１９と左側上部から左側中央部にかけて縦長の塵芥排出用の開口窓２０と、上方ののぞき窓２１とを設け、それぞれドラム３内に対向させている。のぞき窓２１は、ドラム３内を点検する開口部であり、通常はキヤップ２２で閉じられている。
【００２２】
塵芥投入口１９内には上下二つのスクレバー２３を備えた枠体２４が挿入して結合され、枠体２４の外周には押え板２５で支持されたシール２６が配設されている。更に、スクレバー２３より後方には上下２枚のカッター２７，２８を設けた破砕機２９が配設されている。
【００２３】
破砕機２９は、枠体３０と枠体３０内の上下に設けたカッター２７，２８とカッター２７，２８の軸を回転駆動するモータ３１とからなり、枠体３０はシャシー１上に固定されている。
【００２４】
更に、破砕機２９の後方にはこれに対向してホッパー６が起伏自在に設けられている。この為、剪定された枝葉等がシュート５よりホツパー６から手動等で破砕機２９に押し込まれると、この破砕機２９のカッター２７，２８がこの枝葉をチップ状に破砕してスクレバー２３側に押し出し、スクレバー２３上のチップは次々と投入口１９を介してシートパイプ１２内に送り込まれ、更に、ドラム３の正転に伴ってブレード９によりドラム３の前方に圧縮されながら収容される。
【００２５】
ホッパー６は、先細の筒部本体３２と、筒部本体３２の前方に形成した開口部３３と後方に形成した開口部３４と、筒部本体３２の後端下部にヒンジ３５を介して回転自在に結合した蓋とガイドを兼ねたシュート５とから構成されている。ホッパー６は、通常シャシー１側に起立する支柱Ｐに対してブラケットｂを介して結合されている。
【００２６】
更に、ホッパー６の筒部本体３２の下面にはブラケット３６が下方に向けて設けられ、このブラケット３６はシャシー１上に設けた脚３７に回転自在にヒンジ結合され、これによりホッパー６全体が起伏自在にシャシー１に取付けられている。
【００２７】
ホッパー６は、破砕機２９に対向して設けても良いが破砕機２９とを点検する都合上起伏自在に設け、点検時ホッパー６を後方に回転させて破砕機２９を見ることができるようにしている。
【００２８】
更に、ホッパー６の筒部本体３２は短かくても良いが、剪定された枝のように一般の塵芥より長い塵芥の場合にはホッパー６からはみ出してしまうおそれがある為、この筒部本体３２を長くするのが好ましい。
【００２９】
ところが、逆に、この筒部本体３２が長くなると手動で枝等を破砕機２９側に押し込む際に手が届かなくなる不具合がある。そこで、本発明では、筒部本体３２を短く成形すると共にこの筒部本体３２にシュート５をヒンジ結合させ、通常は、このシュート５で筒部本体３２の入口を封じると共に枝等を差し込む場合には図４に示すようにシュート５を水平位置まで回転し、このシュート５をガイドとして利用して枝等を案内させ、枝等が地上に落下しないようにしている。又、枝等を必要に応じて筒部本体３２内に押し込む場合には筒部本体３２が短かい分手動で奥深くまで押し込むことができる。
【００３０】
次に、フローガイド７は、開口部３８を備えた長方形状の枠体３９と、枠体３９の下部に斜め下方に向けて設けたシュート４０と、枠体３９とシュート４０とを覆って固定したハウジング４１と、ハウジング４１の上部に設けたのぞき窓用の蓋４２とで構成され、更にハウジング４１の下部にヒンジを介して排出用のシュートを兼ねた蓋４３を設けている。
【００３１】
枠体３９は、固定カバー４の外面に固定し、開口部３８を固定カバー４の開口窓２０に対向させている。これにより蓋４３をヒンジを介して下方に回転して開いておき、ドラム３を逆転させた時ドラム３内のチップ等の塵芥がブレード９で押し出され、開口窓２０−開口部３８−シュート４０−蓋４３を介して外部に排出される。
【００３２】
フローガイド７に蓋４３を設けておくことによりチップ等をスムースに且つ均一に排出できると共に蓋４３の長さ分車両の後方にチップ等を導き出すことが可能となり、蓋４３の長さ分、例えば、大きな穴等からなる塵芥廃棄場所の縁から遠くの位置に車両を停車でき、あやまって車両が穴にすべり落ちる等の危険を防止できる。
【００３３】
更に、ハウジング４１は、塵芥の粉じん等が外部に飛散するのを防止できる効果があり、外観上も好ましいものである。
【００３４】
【発明の効果】
本発明によれば、次の効果がある。
【００３５】
請求項１の発明によれば、フローガイドの出口端に塵芥排出用のシュートを兼ね蓋を設けたので、通常はこの蓋でフローガイドを閉じておいてドラムとフローガイド内の塵芥による粉塵が外部に飛散するのが防止される。特に、塵芥排出時にはこの蓋を開いて水平に延ばすことにより塵芥がこの蓋にガイドされてドラムより遠い位置まで移送できる。
即ち、フローガイドに蓋を設けておくことによりチップ等をスムースに且つ均一に排出できると共に蓋の長さ分車両の後方にチップ等を導き出すことが可能となり、蓋の長さ分、例えば、大きな穴等からなる塵芥廃棄場所の縁から遠くの位置に車両を停車でき、あやまって車両が穴にすべり落ちる等の危険を防止できる。
いいかえれば、本発明によれば廃棄場所の形状，位置に関係なく塵芥を排出できる。
更に、カバー側の開口窓がフローガイドで覆われているので、ドラム内の塵芥の粉塵が外部に飛散するのを防止し、又塵芥を所定方向にガイドして排出できる。    
また、フローガイド内の点栓はのぞき窓を開くことにより容易に行なえるものである。
【００３６】
2) 更には、カバー側の開口窓がフローガイドで覆われているので、ドラム内の塵芥の粉じんが外部に飛散するのを防止し、又塵芥を所定方向にガイドして排出できる。更にフローガイド内の点検はのぞき窓を開くことにより容易に行なえるものである。
【図面の簡単な説明】
【図１】本発明に係る塵芥収集車の斜視図である。
【図２】本発明に係る塵芥収集車の分解斜視図である。
【図３】図１の塵芥収集車におけるカバ一部の拡大背面図である。
【図４】図１の塵芥収集車におけるホッパー部の拡大正面図である。
【符号の説明】
１  シャシー
３  ドラム
４  カバー
７  フローガイド
９  ブレード
１０  開口部
２０  開口窓
３８  開口部
３９  枠体
４０  シュート
４１  ハウジング
４２  のぞき窓用の蓋
４３  蓋
【図１】
0004271343.tif 000002
【図２】
0004271343.tif 000003
【図３】
0004271343.tif 000004
【図４】
0004271343.tif 000005